(57)【要約】【課題】  放送を受信するための設定を容易に行うことができる端末装置を提供する。【解決手段】  端末装置５００は、放送情報の送信に用いられる搬送波の所定の周波数に関する情報を含み光学的に読み取り可能なコード情報を撮像するコード取得部５０１と、コード取得部５０１により撮像されたコード情報から所定の周波数に関する情報を抽出するデコード部５０２と、デコード部５０２により抽出された所定の周波数に基づいて放送情報を受信する受信部５０３とを備える。これにより、放送情報が送信される搬送波の周波数に関する情報をコード情報から取得し、取得した周波数の情報に基づき放送を受信することができる。従って、端末装置５００で放送を受信するための設定を容易に行うことが可能となる。【選択図】  図５
2010246003.tif 000002
【特許請求の範囲】
【請求項１】
所定の周波数の搬送波で送信される放送情報を受信する端末装置において、
前記所定の周波数に関する情報を含み光学的に読み取り可能なコード情報を撮像するコード取得部と、
前記コード取得部により撮像された前記コード情報から前記所定の周波数に関する情報を抽出する周波数情報抽出部と、
前記周波数情報抽出部により抽出された前記所定の周波数に基づいて前記放送情報を受信する放送情報受信部と
を備えることを特徴とする端末装置。
【請求項２】
前記コード取得部は、スクリーンに投影された前記コード情報を撮像することを特徴とする請求項１に記載の端末装置。
【請求項３】
前記コード取得部は、印刷可能な媒体に印刷された前記コード情報を撮像することを特徴とする請求項１に記載の端末装置。
【請求項４】
前記コード取得部により取得された前記コード情報から、前記端末装置に前記放送情報の受信を行わせるための選局命令を抽出する選局命令抽出手段を備え、
前記周波数情報抽出部は、前記選局命令抽出手段が前記コード情報から選局命令を抽出した場合に、前記コード情報から前記所定の周波数に関する情報を抽出する
ことを特徴とする請求項１〜３のいずれか１項に記載の端末装置。
【発明の詳細な説明】
【技術分野】
【０００１】
本発明は、所定の周波数の搬送波で送信される放送情報を受信する端末装置に関する。
【背景技術】
【０００２】
近年、例えば博物館や美術館に例示されるような施設内において、ある特定のエリア内での放送の提供が行われており、このような放送を提供するためのシステムが知られている（例えば、特許文献１〜３参照）。エリア内にいる利用者は、提供される放送を端末装置等により受信することにより、展示物等に関する情報を視聴することができる。
【先行技術文献】
【特許文献】
【０００３】
【特許文献１】特開平４−１２３５３１号公報
【特許文献２】特開平５−３３３７９９号公報
【特許文献３】特開２００８−１７７８３６号公報
【発明の概要】
【発明が解決しようとする課題】
【０００４】
しかしながら、利用者が所有する端末装置で放送を受信する場合には、放送が行われるチャネルや周波数を予め取得して、取得したチャネル又は周波数を端末装置に設定しなければならず、その設定は煩雑である。
【０００５】
本発明は、このような事情に鑑みてなされたものであり、放送を受信するための設定を容易に行うことができる端末装置を提供することを目的とする。
【課題を解決するための手段】
【０００６】
上記目的を達成するために、本発明に係る端末装置は、所定の周波数の搬送波で送信される放送情報を受信する端末装置において、所定の周波数に関する情報を含み光学的に読み取り可能なコード情報を撮像するコード取得部と、コード取得部により撮像されたコード情報から所定の周波数に関する情報を抽出する周波数情報抽出部と、周波数情報抽出部により抽出された所定の周波数に基づいて放送情報を受信する放送情報受信部とを備えることを特徴とする。
【０００７】
この端末装置によれば、放送情報が送信される搬送波の周波数に関する情報を、撮像したコード情報から取得し、放送を受信することができる。従って、端末装置で放送を受信するための設定を容易に行うことが可能となる。
【０００８】
また、本発明の端末装置では、コード取得部は、スクリーンに投影されたコード情報を撮像することを特徴とする。この場合には、端末装置は、スクリーンに投影されたコード情報を撮像することにより、搬送波の周波数の情報を取得することが可能となる。
【０００９】
また、本発明の端末装置では、コード取得部は、印刷可能な媒体に印刷されたコード情報を撮像することを特徴としてもよい。この場合には、端末装置は、紙等の印刷可能な媒体に印刷されたコード情報を撮像することにより、搬送波の周波数の情報を取得することが可能となる。
【００１０】
また、本発明の端末装置は、コード取得部により取得されたコード情報から、端末装置に放送情報の受信を行わせるための選局命令を抽出する選局命令抽出手段を備え、周波数情報抽出部は、選局命令抽出手段がコード情報から選局命令を抽出した場合に、コード情報から所定の周波数に関する情報を抽出することを特徴とする。この場合には、端末装置は、選局命令がコード情報に含まれていた場合に、当該選局命令に従って、コード情報から放送情報を受信するための周波数の情報を取得する。従って、コード情報に選局命令を含ませることにより、端末装置に選局の動作を行わせることが可能となる。
【発明の効果】
【００１１】
本発明によれば、端末装置で放送を受信するための設定を容易に行うことができる。
【図面の簡単な説明】
【００１２】
【図１】本実施形態の端末装置を含む資料提示システムの構成図である。
【図２】資料提示装置の機能ブロック構成図である。
【図３】資料提示装置の斜視図である。
【図４】プロジェクタを接続された資料提示装置から端末装置に情報が送信される様子を示した図である。
【図５】本実施携帯に係る端末装置の機能ブロック構成図である。
【図６】端末装置が資料提示装置から送信される放送情報を受信する処理手順を示したフローチャートである。
【図７】受信部の機能的構成を示すブロック図である。
【図８】ワンセグ放送の選局を行うための選局命令を利用して端末装置が資料提示装置から送信される画像等を受信する処理手順を示したフローチャートである。
【発明を実施するための形態】
【００１３】
以下、本発明に係る端末装置の好適な実施形態について、図面を参照して詳細に説明する。なお、各図において同一又は相当部分には同一符号を付し、重複する説明を省略する。
【００１４】
図１は、本実施形態に係る端末装置を含む資料提示システム１００の構成図である。図１に示すように、資料提示システム１００は、資料提示装置１１０及び端末装置５００を有する。また、図２は、資料提示装置１１０のブロック構成図である。また、図３（ａ）は、資料提示装置１１０を使用可能にセッティングした状態を示す斜視図であり、図３（ｂ）は、図３（ａ）とは異なる方向から見た場合の斜視図である。また、図４は、資料提示装置１１０とプロジェクタ２００とを接続し、撮像情報をスクリーン２１０等の被投射領域（すなわち、投射される領域）に映し出す様子を示すと共に、端末装置５００に情報が送信される様子を示した図である。
【００１５】
資料提示装置１１０は、例えば会議等において資料を提示するための装置であり、例えばカメラ１等により撮像された撮像情報、当該資料提示装置１１０に入力された資料情報、及びこれらの情報に所定の処理を施した処理画像といった情報を、ディスプレイ３に表示したり、プロジェクタ２００に投射したりする装置である。また、資料提示装置１１０は、撮像情報、資料情報、及び処理画像といった情報を放送情報として、本実施形態に係る端末装置５００に送信する装置である。まず、本実施形態に係る端末装置５００の説明に先立って、この資料提示装置１１０について説明する。
【００１６】
資料提示装置１１０は、機能的な構成要素として、カメラ１、情報入力部２、ディスプレイ３、切替部４、タッチパネル５、重畳部６、操作部７、情報出力部８、画像処理部９、記録部１０、編集部１１、音声入力部１２、音声出力部１３、制御部１６、投射部１７、符号化部２０、送信部２１及びコード生成出力部２２を備えている。
【００１７】
カメラ１は、資料を撮像することができるカメラである。カメラ１は、図３（ａ）及び（ｂ）に示すように、資料提示装置１１０の筐体１８に対して、種々の方向に回転自在に接続されている。これにより、資料提示装置１１０の周囲の撮影が可能となる。カメラ１により撮像された撮像情報は、切替部４に送信される。
【００１８】
情報入力部２は、資料出力装置から資料情報が入力される部分であり、例えば、ＵＳＢ端子２Ａや、ＲＧＢ入力端子２Ｂが含まれる。情報入力部２は、資料提示装置１１０の筐体１８の側壁１８Ａに設けられている。情報入力部２に入力された資料情報は、切替部４に送信される。ここで、資料出力装置は、例えば画像出力可能なデジタルカメラ、プレゼンテーションを行う際に補助的に用いるパソコン等である。
【００１９】
ディスプレイ３は、カメラ１によって撮像された撮像情報及び情報入力部２に入力された資料情報の少なくとも一方に所定の処理が施された画像を、静止画像又は動画像として表示する部分である。また、ディスプレイ３の表示部には、タッチパネル５が取り付けられている。資料提示装置１１０の利用者は、ディスプレイ３に表示された情報を視認することができる。
【００２０】
切替部４は、ディスプレイ３に表示された情報を、撮像情報、資料情報又はそれらの処理画像に切り替える部分である。すなわち、切替部４により、カメラ１によって撮像された撮像情報を表示させるか、情報入力部２に入力された資料情報を表示させるかを、切り替えることができる。
【００２１】
タッチパネル５は、ディスプレイ３に対する指示の入力を受け付けるパネルである。すなわち、タッチパネル５とは、ディスプレイ３の表面に取り付けられる入力装置である。資料提示装置１１０の利用者は、ディスプレイ３に表示された各種の操作マークを操作することにより、タッチパネル５への指示入力を行うことができ、この指示入力により、例えば、図形の入力等の各種操作を行うことができる。タッチパネル５に入力された指示は、制御部１６に送信される。
【００２２】
重畳部６は、タッチパネル５によって受け付けられた指示を、図形としてディスプレイ３に重畳する部分である。重畳部６は、例えばソフトウェアとして構成されている。重畳部６は、この指示を、各種の図形としてディスプレイ３に重畳する。重畳部６が重畳する図形に関する情報は、制御部１６に送信される。
【００２３】
操作部７は、上述したように、ディスプレイ３に表示された撮像情報、資料情報又はそれらの処理画像に対する操作を行う操作マークのことであり、タッチパネル５に含まれている。操作部７が、資料提示装置１１０の利用者から受け付けた操作に関する情報は、タッチパネル５を経由して重畳部６に送信される。
【００２４】
情報出力部８は、ディスプレイ３に表示された撮像情報、資料情報又はそれらの処理画像を、上記の図形と共に画像表示装置に対して出力する部分であり、例えば、ＲＧＢ出力端子８Ａである。情報出力部８（ＲＧＢ出力端子８Ａ）は、資料提示装置１１０の筐体１８の側壁１８Ａに設けられている。なお、画像表示装置とは、例えば、プレゼンテーションを行う際に補助的に用いるプロジェクタ等である。図４に示すように、資料提示装置１１０の情報出力部８とプロジェクタ２００とをケーブルＣによって接続し、例えばカメラ１によって資料Ｄを撮像し、この撮像された撮像情報を、スクリーン２１０に映し出すことができる。なお、スクリーン２１０には、ディスプレイ３に重畳されている矢印型ポインタＰが表示されている。
【００２５】
画像処理部９は、撮像情報及び資料情報の少なくとも一方に所定の処理を施して処理画像を作成する部分である。画像処理部９は、例えばソフトウェアとして構成されている。画像処理部９により、画像の拡大や縮小等を含む画像処理が行われる。画像処理の操作を行うための操作マークは、上述したように、タッチパネル５上に表示されている。画像処理部９によって画像処理された画像処理情報は、制御部１６を介してディスプレイ３に送信され、表示される。
【００２６】
記録部１０は、ディスプレイ３に表示された撮像情報、資料情報又はそれらの処理画像を記録する部分である。記録部１０は、例えばＣＰＵ及びハードディスクを含むコンピュータを主体として構成されている。
【００２７】
編集部１１は、記録部１０によって記録された情報を編集する部分である。編集部１１は、例えばＣＰＵ及び編集用ソフトウェアを含むコンピュータを主体として構成されている。記録部１０内の記録情報に対する、編集部１１による編集に関する情報は、記録部１０に送信される。
【００２８】
音声入力部１２は、撮像情報、資料情報又はそれらの処理画像に対する音声の入力を受け付ける部分であり、例えばマイク入力端子１２Ａ等である。音声入力部１２は、資料提示装置１１０の筐体１８の側壁１８Ａに設けられている。音声入力部１２によって入力が受け付けられた音声情報は、制御部１６に送信される。
【００２９】
音声出力部１３は、撮像情報、資料情報又はそれらの処理画像の音声の出力を行う部分であり、例えば音声出力端子１３Ａ等である。音声出力部１３は、資料提示装置１１０の筐体１８の側壁１８Ａに設けられている。
【００３０】
制御部１６は、上記の撮像情報や資料情報をディスプレイ３に表示させるための制御や、上記の撮像情報や資料情報の音声を出力させるための制御等を行う部分である。制御部１６は、例えばＣＰＵ及びメモリを含むコンピュータを主体として構成されている。
【００３１】
投射部１７は、ディスプレイ３に表示された撮像情報、資料情報又はそれらの処理画像を、上記の図形と共に投射用のスクリーン２１０や白い壁面等といった被投射領域（すなわち、投射される領域）に対して投射する部分である。投射部１７は、筐体１８の側壁１８Ａに投射の投射方向を調整可能に取り付けられているので、様々な場所や方向に向けて投射することができる。
【００３２】
また、図４に示すように、情報出力部８に接続されたプロジェクタ２００は、投射部１７と同様に、ディスプレイ３に表示された撮像情報、資料情報又はそれらの処理画像等を投射用のスクリーン２１０や白い壁面等といった被投射領域に対して投射することができる。
【００３３】
符号化部２０は、ディスプレイ３に表示された撮像情報、資料情報又はそれらの処理画像を所定の方式により符号化した情報を放送情報として生成する部分である。ここで放送情報に含まれる画像には、重畳部６によりディスプレイ３に重畳表示される図形等が含まれる。また、放送情報には、撮像情報、資料情報又はそれらの処理画像に対応した音声の情報も含ませることができる。なお、符号化の方式としては、例えばＭＰＥＧ（Moving Picture Experts Group）−４規格が用いられることが好ましいが、この規格には限定されない。
【００３４】
送信部２１は、所定の周波数の搬送波で端末装置５００に放送情報を送信する部分である。送信部２１は、例えば、放送出力端子２１Ａを含み、放送出力端子２１Ａに接続されたアンテナ４００を介して放送情報を送信する。放送出力端子２１Ａは、筐体１８の側壁１８Ａに設けられており、例えばＵＳＢ端子といった汎用的な規格に準拠した端子とすることができる。図４に示すように、端末装置５００は、アンテナ４００を介して送信される放送情報受信することができる。放送情報の送信には、いわゆるワンセグ放送の方式が用いられる。ワンセグ放送は、地上デジタル放送の規格の１つであり、分割された所定の周波数帯域のうちの１つのセグメント（チャネル）を利用して行われる放送である。なお、放送情報の送信の方式はワンセグ放送には限定されず、他の方式でもよい。
【００３５】
コード生成出力部２２は、送信部２１が放送情報の送信に用いる搬送波の周波数の情報を含み光学的に読み取り可能なコード情報を撮像可能な媒体に出力する部分である。例えばワンセグ放送では、１３〜５２ｃｈ（チャネル）に所定の周波数が割り当てられているので、コード情報は、搬送波の周波数の情報としてチャネルの情報を含む。コード生成出力部２２により出力されるコード情報は、例えばバーコード、ＱＲコード（登録商標）といったものである。また、コード情報は、ワンセグ放送を受信する端末装置５００において実行されるワンセグ受信設定命令を含むことができる。ワンセグ受信設定命令は、所定のチャネル（周波数）を出発点として、チャネルを順次スキャンしながら放送の有無を判定し、放送を受信可能なチャネルを当該端末装置５００に設定するための命令である。
【００３６】
また、コード生成出力部２２は、コード情報を印刷装置（図示せず）を介して紙等の印刷可能な媒体に印刷して出力したり、情報出力部８を介して画像表示装置に対して出力したり、投射部１７及びプロジェクタ２００を介して投射用のスクリーン２１０や白い壁面等に出力したりすることができる。特に、コード情報を画像表示装置やスクリーン２１０に出力した場合には、紙等の媒体を要することなく、一度に多くの者に対してコード情報を提供することが可能となる。
【００３７】
なお、本実施形態において、撮像情報、資料情報及び処理画像といった情報をディスプレイ等に表示し、これらの情報を放送情報として端末装置５００に送信するための各機能部と、コード情報を生成し出力するための機能部とを資料提示装置１１０内に構成することとしているが、これらの両機能部がそれぞれ別の装置に構成されることとしてもよい。
【００３８】
図５は、端末装置５００のブロック構成図である。なお、端末装置５００は、例えば携帯電話等の移動端末、パソコンといった装置である。端末装置５００は、機能的な構成要素として、コード取得部５０１、デコード部（周波数情報抽出部）５０２、受信部（放送情報受信部）５０３、制御部５０４（選局命令抽出手段）、復号化部５０５、表示部５０６、音声出力部５０７及び受信内容記憶部５０８を備えている。
【００３９】
コード取得部５０１は、資料提示装置１１０より出力されたコード情報を撮像し、取得する部分であり、例えばデジタルカメラにより構成される。コード取得部５０１は、取得したコード情報をデコード部５０２に送出する。なお、ここで撮像されるコード情報は、上記のとおり、例えば紙といった印刷可能な媒体に印刷装置により印刷されたものでもよいし、スクリーン２１０等に投射されたものでもよい。
【００４０】
デコード部５０２は、コード取得部５０１から取得したコード情報から、資料提示装置１１０の送信部２１が放送情報の送信に用いる搬送波の周波数に関する情報を抽出する部分である。本実施形態では、周波数に関する情報は、ワンセグ放送のチャネルの情報である。また、デコード部５０２は、ワンセグ受信設定命令をコード情報から抽出する。
【００４１】
受信部５０３は、デコード部５０２により抽出された周波数に関する情報に基づいて放送情報を受信する部分である。本実施形態では、受信部５０３は、デコード部５０２により抽出されたチャネルの情報に基づきチューニングを行い、放送情報を受信する。なお、本実施形態では、放送情報がワンセグ放送により送信される場合を例示しているが、所定の搬送波を用いて放送情報が送信される方式であればワンセグ放送には限られない。その場合には、受信部５０３は、放送情報が送信される所定の搬送波の周波数の情報に基づいて、放送情報を受信することが可能である。
【００４２】
ここで、受信部５０３を詳細に説明する。図７は、受信部５０３の機能的構成を示すブロック図である。図７に示すように、受信部５０３は、アンテナ３０、高周波増幅器３１、混合器３２、局部発信器３３及び中間周波増幅器３４を有する。
【００４３】
アンテナ３０は、電波を受信し、受信した電波を高周波電気信号として高周波増幅器３１に送出する。
【００４４】
高周波増幅器３１は、アンテナ３０から取得した高周波電気信号を増幅する装置である。ここで増幅された電波は、混合器３２に送出される。
【００４５】
混合器３２及び局部発信器３３は、受信した信号から所望の周波数の信号を選局するための部分である。局部発信器３３から発信される発振信号の局部発振周波数を所望の周波数に応じた周波数に設定することにより、選局が行われる。
【００４６】
中間周波増幅器３４は、混合器３２から出力された電気信号を適切なレベルに増幅する装置である。
【００４７】
ここで再び図４を参照して、制御部５０４は、受信部５０３に放送情報を受信させるための制御や、受信した放送情報を復号化部５０５に復号化させるための制御や、放送情報の内容を受信内容記憶部５０８に記憶させるための制御等と行う部分である。また、コード情報にワンセグ受信設定命令が含まれていた場合には、制御部５０４は、ワンセグ受信設定の処理を制御する（詳細は後述する）。
【００４８】
復号化部５０５は、放送情報に含まれる符号化された画像等を復号化する部分である。例えば、ワンセグ放送により受信した放送情報を復号化する場合には、ＭＰＥＧ−４の規格に準拠した複合化処理が行われる。
【００４９】
表示部５０６は、復号化部５０５により復号化された画像を表示する部分であり、例えば、ディスプレイ装置により構成される。
【００５０】
音声出力部５０７は、復号化部により復号化された音声を出力する部分であり、例えばスピーカ装置により構成される。
【００５１】
受信内容記憶部５０８は、復号化部５０５により復号化された画像及び音声、復号化されるまえの放送情報等を記憶する部分であり、例えば、フラッシュメモリ、ＨＤＤ（Hard disk drive）装置等により構成される。
【００５２】
続いて、端末装置５００が、資料提示装置１１０から送信される画像等を受信する処理手順の一例を説明する。図６は、ワンセグ受信設定命令を利用して端末装置５００が資料提示装置１１０から送信される画像等を受信する処理手順を示したフローチャートである。ワンセグ受信設定命令は、チャネルを順次スキャンして、放送が行われているチャネルを探索するための命令である。なお、ここでは、コード情報として、ＱＲコードが用いられるものとする。ただし、本実施形態では、ＱＲコードが用いられる場合を例示するが、ＱＲコード以外のバーコード等のコード情報が用いられることとしてもよい。
【００５３】
まず、ステップＳ１において、コード取得部５０１は、ＱＲコードを撮像し、取得する（Ｓ１）。ＱＲコードの撮像は、例えば端末装置５００の利用者によるボタン操作等により行われる。続いて、ステップＳ２において、デコード部５０２は、取得したＱＲコードをデコードし、ＱＲコードに含まれる情報を抽出する（Ｓ２）。
【００５４】
ステップＳ３において、制御部５０４は、ＱＲコードから抽出した情報にワンセグ受信設定命令が含まれているか否かを判定する。ＱＲコードから抽出した情報にワンセグ受信設定命令が含まれていた場合には（Ｓ３）、処理手順はステップＳ４に進められる。なお、この場合には、ＱＲコードにはワンセグ放送のチャネル（周波数）に関する情報も含まれている。
【００５５】
ステップＳ４において、制御部５０４は、ＱＲコードから抽出したワンセグ放送のチャネルを、ワンセグ受信設定のためのスキャンの出発点として設定する。続くステップＳ５において、制御部５０４は、受信部５０３に、スキャンの出発点として設定されたチャネル（周波数）にチューニングさせる。
【００５６】
ステップＳ６において、制御部５０４は、資料提示装置１１０から送信された放送情報を受信部５０３により受信し、受信した放送情報を復号化部５０５に復号化させ、復号化された画像や音声を受信内容記憶部５０８に記憶させる。また、制御部５０４は、復号化された画像を表示部５０６に表示させたり、復号化された音声を音声出力部５０７に出力させたりする。そして、資料提示装置１１０から送信される放送情報が終了したことを検出したり、端末装置５００の利用者によるボタン操作が行われたりしたときに、端末装置５００の制御部５０４は、放送情報の受信の処理を終了させる。
【００５７】
ワンセグ受信設定命令を実行可能な構成を端末装置５００が予め備えている場合には、ワンセグ受信設定命令を利用することにより、端末装置５００に対して特段の仕様変更を施すことなく、資料提示装置１１０からワンセグ放送により送信される放送情報を端末装置５００に受信させることが可能となる。資料提示装置１１０が放送情報の送信に用いるワンセグ放送のチャネルに関する情報が、コード生成出力部２２により出力されるコード情報に含まれているので、端末装置５００は、コード情報に含まれるワンセグ放送のチャネルに関する情報に基づいて放送情報を受信することができる。
【００５８】
次に、端末装置５００が、資料提示装置１１０から送信される画像等を含む放送情報を受信する処理手順の他の例を説明する。図８は、放送情報が送信される所定の搬送波を受信して（選局）、端末装置５００が資料提示装置１１０から送信される画像等を受信する処理手順を示したフローチャートである。即ち、このフローチャートは、放送情報を受信するための受信周波数を端末装置５００に設定するための選局処理である。放送情報の送信の方式は、例えばワンセグ放送であるが、所定の搬送波を用いて放送情報が送信される放送方式であればワンセグ放送には限られない。
【００５９】
まず、ステップＳ１０において、コード取得部５０１は、ＱＲコードを撮影して、取得する。なお、本実施形態では、ＱＲコードが用いられる場合を例示しているが、ＱＲコード以外のコード情報が用いられることとしてもよい。続いて、ステップＳ１１において、デコード部５０２は、取得したＱＲコードをデコードし、ＱＲコードに含まれる情報を抽出する。
【００６０】
続くステップＳ１２において、制御部５０４は、ＱＲコードから抽出した情報が、本実施形態に係る資料提示システム１００のための情報であるか否かを判定する。この判定は、例えばＱＲコードから抽出した情報に、本システムのための情報であるか否かを示す所定の識別子が含まれているか否かを判別することにより行われる。ＱＲコードから抽出した情報が、本システムのための情報であった場合には（Ｓ１２）、処理手順はステップＳ１３に進められる。一方、ＱＲコードから抽出した情報が、本システムのための情報でなかった場合には（Ｓ１２）、処理手順は終了する。
【００６１】
次に、ステップＳ１３において、制御部５０４は、ＱＲコードから抽出した情報が放送情報を受信するための受信周波数を設定するための選局命令であるか否かを判定する。ＱＲコードから抽出した情報が放送情報を受信するための選局命令である場合には（Ｓ１３）、処理手順はステップＳ１４に進められる。一方、ＱＲコードから抽出した情報が、放送情報を受信するための選局命令でない場合には（Ｓ１２）、処理手順は終了する。ＱＲコードから抽出した情報が放送情報を受信するための選局命令である場合には、抽出した情報には、放送情報を受信するための受信周波数に関する情報も含まれている。
【００６２】
ステップＳ１４において、制御部５０４は、ＱＲコードから抽出した情報から、選局したい局の周波数に関する情報を抽出する。続いて、ステップＳ１５において、制御部５０４は、選局したい局の周波数に関する情報に基づいて、局部発信器３３に設定する局部発振周波数を算出する。
【００６３】
そして、ステップＳ１６において、制御部５０４は、算出した局部発振周波数を局部発信器３３に設定する。これにより、受信部５０３は、放送情報が送信される搬送波を選局して放送情報を受信することができる。
【００６４】
以上説明したように、この端末装置５００によれば、資料提示装置１１０が放送情報を送信するときに用いる搬送波の周波数の情報を、スクリーン２１０等に投影されたＱＲコード等を撮像することにより取得し、取得した周波数の情報を用いて放送情報を受信することができる。従って、端末装置５００で放送を受信するための設定を容易に行うことが可能となる。
【符号の説明】
【００６５】
１…カメラ、２…情報入力部、３…ディスプレイ、９…画像処理部、１０…記録部、２２…コード生成出力部、１００…資料提示システム、１１０…資料提示装置、２１０…スクリーン、５００…端末装置、５０１…コード取得部、５０２…デコード部（周波数情報抽出部）、５０３…受信部（放送情報受信部）、５０８…受信内容記憶部、３０…アンテナ、３１…高周波増幅器、３２…混合器、３３…局部発信器、３４…中間周波増幅器。
【図１】
2010246003.tif 000003
【図２】
2010246003.tif 000004
【図３】
2010246003.tif 000005
【図４】
2010246003.tif 000006
【図５】
2010246003.tif 000007
【図６】
2010246003.tif 000008
【図７】
2010246003.tif 000009
【図８】
2010246003.tif 000010